(57)【特許請求の範囲】
【請求項１】
積木玩具として用いられるクッション体において，
弾性材料を素材とする多面体又は柱状体の本体の内部に，前記多面体又は柱状体の一面に開口を有する第一の空洞部が設けられ，当該第一の空洞部に前記弾性材料を素材とする入れ子が嵌合されてなることを特徴とするクッション体。
【請求項２】
前記入れ子の一面に開口を有する第二の空洞部が設けられ，当該開口は開閉可能に塞がれていることを特徴とする請求項１に記載のクッション体。
【請求項３】
前記第一の空洞部の内面は，難燃性材料で覆われていることを特徴とする請求項１又は２に記載のクッション体。
【請求項４】
前記第一の空洞部から前記入れ子が抜き出された状態において，前記第一の空洞部の内面が外面となるように前記本体が裏返し可能であり，裏返された状態の前記本体を人間の頭部に被せることができることを特徴とする請求項１乃至３のいずれか一つに記載のクッション体。
【発明の詳細な説明】
【技術分野】
【０００１】
本発明は，子供向けの積木玩具として利用できるクッション体に関し，特に，積木玩具であるとともに，人間の頭部を保護する保護具としても利用できるクッション体に関する。
【背景技術】
【０００２】
例えば特許文献１及び２に開示される発明の通り，スポンジ，気泡を含むポリマー成形体や軟質弾性体などのクッション性のある材料から作られた積木（ブロック）の玩具が提案されている。子供たちは，複数の積木一つ一つを積んだり，並べたりして様々な形状を作り上げ，積木遊びを行う。
【先行技術文献】
【特許文献】
【０００３】
【特許文献１】特開２００４−２４７８８号公報
【特許文献２】特開２０１１−１３９７３５号公報
【発明の概要】
【発明が解決しようとする課題】
【０００４】
このような従来のクッション性のある積木（クッション体）は，木製や硬質プラスチック製の積木と同様に，子供の積木遊びにのみ利用されることを目的とするものであり，他の用途を有していない。
【０００５】
本発明の目的は，積木遊び以外の用途にも利用可能に構成されたクッション体及びその使用方法を提供することにある。
【課題を解決するための手段】
【０００６】
上記目的を達成するための本発明のクッション体の第一の構成は，積木玩具として用いられるクッション体において，弾性材料を素材とする多面体又は柱状体の本体の内部に，多面体又は柱状体の一面に開口を有する第一の空洞部が設けられ，当該第一の空洞部に弾性材料を素材とする入れ子が嵌合されてなることを特徴とする。
【０００７】
本発明のクッション体の第二の構成は，第一の構成において，入れ子の一面に開口を有する第二の空洞部が設けられ，当該開口は開閉可能に塞がれていることを特徴とする。
【０００８】
本発明のクッション体の第三の構成は，第一又は第二の構成において，第一の空洞部の内面は，難燃性材料で覆われていることを特徴とする。
【０００９】
本発明のクッション体の第四の構成は，上記第一乃至第三の構成のいずれかにおいて，第一の空洞部から前記入れ子が抜き出された状態において，第一の空洞部の内面が外面となるように本体が裏返し可能であり，裏返された状態の本体を人間の頭部に被せることができることを特徴とする。
【００１０】
本発明のクッション体の使用方法は，上記第一乃至第三の構成のいずれかのクッション体において，第一の空洞部から前記入れ子を抜き出し，第一の空洞部の内面が外面となるように本体を裏返し，裏返された状態の本体を人間の頭部に被せることで，頭部の保護具として用いることを特徴とする。
【発明の効果】
【００１１】
本発明によれば，積木玩具として用いられるクッション体を人間の頭部の保護具として用いることができる。
【図面の簡単な説明】
【００１２】
【図１】本発明の実施の形態におけるクッション体の第一の構成例を示す図である。
【図２】本体１１を裏返す過程を説明するための図である。
【図３】本発明のクッション体の第二の構成例を示す図である。
【図４】本発明のクッション体の第三の構成例を示す図である。
【図５】本体１１を裏返した形状を示す図である。
【発明を実施するための形態】
【００１３】
以下，図面を参照して本発明の実施の形態について説明する。しかしながら，かかる実施の形態例が，本発明の技術的範囲を限定するものではない。
【００１４】
図１は，本発明の実施の形態におけるクッション体の第一の構成例を示す図である。図１（ａ）は，クッション体１０の外観斜視図を示し，クッション体１０は，弾性材料を素材とする立方体形状の本体１１と，その本体１１の一面に開口を有して設けられる空洞部１２に出し入れ可能に嵌合されている入れ子１３とを有して構成される。図では，入れ子１３と空洞部１２とを区別して図示するために，入れ子１３が空洞部１２から間隔をあけて記載されているが，実際は，入れ子１３と空洞部１２は，その側面同士が接触して嵌合される。
【００１５】
図１（ｂ）は，入れ子１３を本体１１の空洞部１２から取り出した状態を示す図である。入れ子１３も立方体形状を有し，その一面に開口を有する空洞部１４が設けられており，本体１１と同様の弾性材料で形成される。本体１１及び入れ子１３を構成する弾性材料は，子供にとって軽量で扱いやすくかつ安全な例えば発泡ウレタンであるが，シリコンゴム，軟質性プラスチック材など他の軟質性且つ弾性を有する材料であってもよい。また，本体１１及び入れ子１３ともに，例えば触感が柔らかく安全性の高いフェルトのような生地のカバーにより被覆されており，さまざまな色付け又は絵柄を付すことができる。本体１１及び入れ子１３のカバーは，フェルト生地に限らず，例えば，防汚性，撥水性など子供の使用に適した機能を有するものであってよい。
【００１６】
なお，本体１１の空洞部１２については，その内面に沿うようにカバーが被覆されており，後述するように，本体１１が裏返されたときに外面となる本体１１の空洞部１２の内面は，他の面と同様に，フェルト生地で被覆されてもよいが，好ましくは，難燃性ポリエステル樹脂繊維によるストレッチ（伸縮）素材のような難燃性生地で被覆される。本体１１の空洞部１２の内面は，入れ子１３が挿入されている場合，露出されていないので，外観上は統一された生地で覆われたおり，外面のフェルト生地と異なる素材で被覆されても，違和感を与えることはない。
【００１７】
一方で，入れ子１３は，その空洞部１４の開口を塞ぐように，全体がカバーにより被覆されているが，そのカバーには，その空洞部１４の開口を開閉可能に線ファスナーや面ファスナーのような開閉手段１５が取り付けられている。さらに，入れ子１３には，取っ手又は肩紐ベルトとなりうる紐１６が取り付けられている。すなわち，入れ子１３をバッグとして用いることができる。積木玩具として用いられる場合，通常，入れ子１３は，その開閉手段１５及び紐１６が取り付けられた面が空洞部１２の底面に向けて空洞部１２に挿入され，クッション体１０としての外面には，開閉手段１５及び紐１６が露出しないようにする。
【００１８】
本体１１の空洞部１２は，入れ子１３の形状に合うように立方体形状であり，本体１１の空洞部１２に入れ子１３が嵌合されている状態で，本体１１の開口を有する面と入れ子１３の該開口を塞ぐ面とが一致するいわゆる面一形状となり，クッション体１０は全体として立方体（正六面体）形状を形成し，積木玩具として用いることができる。
【００１９】
本体１１は，入れ子１３を空洞部１２から抜き出した状態で，裏返すことができる。
【００２０】
図２は，本体１１を裏返す過程を説明するための図である。図２（ａ）において，入れ子１３を本体１１の空洞部１２から取り出し，図２（ｂ）に示すように，本体１１の空洞部１２が外面になるように裏返すと，図２（ｃ）に示すように，頂部がドーム状となり，開口が円形の帽子形状となる。図２（ｄ）に示すように，これを帽子として頭部にかぶせることで，頭部の保護具となる。従って，例えば，子供が室内で，当該クッション体１０により積木遊びをしていたときに，地震が発生した場合，すばやく入れ子１３を抜き出し，本体１１を裏返して，頭にかぶることで，災害発生時に子供を保護する防災用品として用いることができるようになる。本体１１を裏返すことで，空洞部１２を被覆している難燃性素材のカバーが外面に露出するため，火災が発生した場合にも本体１１の燃焼を防ぎ，火災からも，人間の頭部を確実に保護することができる。
【００２１】
また，取り出された入れ子１３はバッグとして用いることができるので，図２（ｄ）に示すように，裏返された本体１１をかぶり，入れ子１３を肩からかけて，屋外に避難する。なお，本体１１をかぶる場合は，上述のように，裏返すことで頭部形状にあう帽子形状となるが，緊急時には，本体１１を裏返さずとも，入れ子１３を取り出したそのままの状態で本体１１をかぶることもでき，その場合も，頭部保護具として機能する。さらに，本体１１には，裏返してかぶるときにあご紐となるゴム又は紐があらかじめ取り付けられていてもよい。空洞１２の大きさは，積木遊びを行う子供がかぶるのに適切なサイズに応じて決定されることが好ましく，また，頭部保護具として機能するために，本体１１の厚みも適宜決定される。また，空洞１２の大きさが１サイズに決定されたとしても，クッション体１１の厚みの弾性により，広範囲の頭部まわりサイズに適応する。空洞部１２の寸法は，空洞部１２の側面及び底面から対向する本体１１の外面までの厚さが均等となるように決められる。裏返して帽子形状になった際にも，全周面にわたって均等な厚さとなる。
【００２２】
図３は，本発明のクッション体の第二の構成例を示す図であり，図３（ａ）は第二の構成例におけるクッション体１０の外観斜視図を示し，図３（ｂ）は，第二の構成例において，入れ子１３を本体１１の空洞部１２から取り出した状態を示す図である。また，図４は，本発明のクッション体の第三の構成例を示す図であり，図４（ａ）は第三の構成例におけるクッション体１０の外観斜視図を示し，図４（ｂ）は，第三の構成例において，入れ子１３を本体１１の空洞部１２から取り出した状態を示す図である。
【００２３】
第二及び第三の構成例は，第一の構成と比較して，クッション体１０の形状のみが異なるものであって，その機能は実質的に同一である。第二の構成例では，クッション体１０の形状が円柱形状である点が異なり，本体１１及び入れ子１３ともに円柱形状を有する。また，第三の構成例は，第一の構成例と比較して，クッション体１０の形状が三角柱形状である点が異なり，本体１１及び入れ子１３ともに三角柱形状を有する。図３（ａ）及び図４（ａ）においても，入れ子１３と空洞部１２とを区別して図示するために，入れ子１３が空洞部１２から間隔をあけて記載されているが，実際は，入れ子１３と空洞部１２は，その側面同士が接触して嵌合される。
【００２４】
図３及び図４に示される円柱形状及び三角柱形状の本体１１においても，第一の構成例と同様に，入れ子１３を取り出して，裏返すことで，頭部保護具として機能し，入れ子１３はバッグとして用いることができる。もちろん，本体１１を裏返さずに，そのままかぶることもできる。
【００２５】
クッション体１の形状は，上述の実施の形態で例示した立方体形状，円柱形状，三角柱形状に限られず，他の多面体又は柱状体の形状が採用されうることは言うまでもない。
【００２６】
また，クッション体１０の裏返す前の原形状が異なっていても，その形状にかかわらず，それらを裏返すと，図５に示すように，どれも同一の形状，すなわち頂部がドーム状となり，開口が円形の帽子形状となる。このため，クッション体１０を用いて積木遊びをしているときに地震が発生した場合，どの形状のクッション体１０を裏返して，頭部保護具として用いてもよい。
【００２７】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２８】
１０：クッション体，１１：本体，１２：空洞部，１３：入れ子，１４：空洞部、１５：開閉手段，１６：紐
【図１】
0005552642.tif 000002
【図２】
0005552642.tif 000003
【図３】
0005552642.tif 000004
【図４】
0005552642.tif 000005
【図５】
0005552642.tif 000006